(57)【特許請求の範囲】
【請求項１】
下部ベッドスプレッド（１０）と、
前記下部ベッドスプレッド（１０）に取り付けられたマットレス体（３０）であって、互いに略平行でありかつ一列に配設されてエアセル列を形成する複数の身体エアセル（３１）および複数の頭部エアセル（３２）を含むマットレス体（３０）と、
前記下部ベッドスプレッド（１０）に接続され、前記マットレス体（３０）を被覆する上部ベッドスプレッド（５０）と、
前記上部ベッドスプレッド（５０）の両側においてその長手方向縁部に隣接してそれぞれ形成された、ガードレールエアセル（６１）を有するガードレールと、
ポンプ（７１）、および前記ポンプ（７１）を前記エアセル（３１，３２，６１）に接続する管路（７３，７４，７７）を含むポンピング組立体（７０）と、
を備え、
前記管路は、前記ポンプ（７１）に接続されたガードレール管路（７７）を含むとともに、前記ポンプ（７１）を前記身体エアセル（３１）、前記頭部エアセル（３２）および前記ガードレールエアセル（６１）に接続して、これらエアセルの膨張および／または収縮を選択的に制御するするように構成されており、
前記上部ベッドスプレッド（５０）の両側における前記各ガードレールは、別々に形成され互いに同軸に整列するとともに、個別の前記ガードレールエアセル（６１）を収容する２つのスリーブ体（５２１）を有しており、
前記各スリーブ体（５２１）は、二重縫合線によりかつ前記上部ベッドスプレッドの表面に直接固定された平坦な基部（８００）を有する、ことを特徴とする、医療用エアマットレス。
【請求項２】
前記ポンプ（７１）を前記エアセル列の奇数位置の身体エアセル（３１）に接続する奇数身体管路（７３）、および前記ポンプ（７１）を前記エアセル列の偶数位置の身体エアセル（３１）に接続する偶数身体管路（７４）を特徴とする、請求項１に記載の医療用エアマットレス。
【請求項３】
前記奇数身体管路（７３）および前記偶数身体管路（７４）に接続された急速放出弁（７８）を特徴とする、請求項２に記載の医療用エアマットレス。
【請求項４】
前記マットレス体（３０）が前記下部ベッドスプレッド（１０）の２つの長手方向側部付近に、かつ互いに略平行に、傾斜提供エアセル（３２）を横切って取り付けられるように、前記下部ベッドスプレッド（１０）に長手方向に取り付けられた２つの傾斜提供エアセル（２０）をさらに備えることを特徴とする、請求項１ないし３のいずれかに記載の医療用エアマットレス。
【請求項５】
各身体エアセル（３１）の直径が幅広端から幅狭端に向かって徐々に漸減し、かつ前記エアセルが前記幅広端を前記幅狭端に隣接して配設されることを特徴とする、請求項１ないし４のいずれかに記載の医療用エアマットレス。
【請求項６】
前記マットレス体（３０）に取り付けられるとともに、複数の微小振動体（４１）を有するマッサージユニット（４０）を特徴とする、請求項１ないし５のいずれかに記載の医療用エアマットレス。
【請求項７】
前記上部ベッドスプレッド（５０）に取り付けられた電熱シートの形のヒートユニット（５１）を特徴とする、請求項１ないし６のいずれかに記載の医療用エアマットレス。
【請求項８】
前記ヒートユニット（５１）が炭素繊維で作られることを特徴とする、請求項７に記載の医療用エアマットレス。
【請求項９】
前記ポンピング組立体（７０）がさらに、
前記ポンプ（７１）と身体管路（７３、７４）およびガードレール管路（７７）との間に接続された身体交互動作弁（７０２）と、
前記奇数身体管路（７３）と前記エアセル列の奇数位置の頭部エアセル（３２）との間に接続された第１逆止弁（７３１）と、
前記偶数身体管路７４と前記エアセル列の偶数位置の頭部エアセル（３２）との間に接続された第２逆止弁（７４１）と、
を含むことを特徴とする、請求項２に記載の医療用エアマットレス。
【請求項１０】
前記ポンピング組立体（７０）がさらに、
前記身体交互動作弁（７０２）と前記ガードレール管路（７７）との間に接続されたガードレール電磁弁（７７２）、および
前記身体交互動作弁（７０２）と前記ガードレール電磁弁（７７２）との間に取り付けられた第３逆止弁（７７１）、
を含むことを特徴とする、請求項９に記載の医療用エアマットレス。
【請求項１１】
各身体エアセル（３１）および／または各頭部エアセル（３２）の直径が本質的に均一であることを特徴とする、請求項１ないし４のいずれかに記載の医療用エアマットレス。
【請求項１２】
前記ポンピング組立体（７０）がさらに、
前記身体交互動作弁（７０２）と前記ガードレール管路（７７）との間に接続された手動交互動作装置と、
前記身体交互動作弁（７０２）と前記手動交互動作装置との間に取り付けられた第３逆止弁（７７１）と、
を含むことを特徴とする、請求項１ないし９のいずれかに記載の医療用エアマットレス。
【請求項１３】
前記エアセル列の中央部に配設され、かつ前記ポンピング組立体に接続された独立エアセル（２３）を特徴とする、請求項１に記載の医療用エアマットレス。
【請求項１４】
前記ポンピング組立体が前記独立エアセル（２３）に接続された独立収縮ユニットを含むことを特徴とする、請求項１３に記載の医療用エアマットレス。
【請求項１５】
各身体エアセル（３１）および／または各頭部エアセル（３２）および各独立エアセル（２３）の直径がそれぞれ均一であることを特徴とする、請求項１３または１４に記載の医療用エアマットレス。
【請求項１６】
各独立エアセル（２３）の直径が幅広端から幅狭端に向かって徐々に漸減することを特徴とする、請求項１３または１４に記載の医療用エアマットレス。
【請求項１７】
前記独立エアセル（２３）が幅広端を幅狭端に隣接して配設されることを特徴とする、請求項１６に記載の医療用エアマットレス。
【請求項１８】
前記ポンピング組立体（７０）がさらに、
前記ポンプ（７１）を前記エアセル列の奇数位置の独立エアセル（２３）に接続する奇数独立管路（５４）と、
前記ポンプ（７１）を前記エアセル列の偶数位置の独立エアセル（２３）に接続する偶数独立管路（５５）と、
を含むことを特徴とする、請求項１３ないし１７のいずれかに記載の医療用エアマットレス。
【請求項１９】
前記独立収縮ユニットが奇数電磁弁（５４１）および偶数電磁弁（５５１）を含むと共に、前記独立エアセル（２３）が前記奇数および偶数電磁弁（５４１、５５１）を介して独立して選択的に収縮されるように、外部への空気抜き出し開口を有する、ことを特徴とする、請求項１４に記載の医療用エアマットレス。
【請求項２０】
前記マットレス体（３０）の片側に長手方向に取り付けられ、かつ前記医療用エアマットレスの支持面（８０３）を拡大し、かつ／または前記上部ベッドスプレッド（５０）を支持する、少なくとも１つのオフセットエアセル（３４Ａ）を特徴とする、請求項１ないし１９のいずれかに記載の医療用エアマットレス。
【請求項２１】
前記オフセットエアセル（３４）が、前記身体エアセル（３１）および／または前記頭部エアセル（３２）につながる管路に接続されていることを特徴とする、請求項２０に記載の医療用エアマットレス。
【発明の詳細な説明】
【技術分野】
【０００１】
本発明は、請求項１、５、６、１１、１２、および２０の前段部分に係る医療用エアマットレスに関し、特に褥瘡防止用の医療用エアマットレスに関する。したがって、該医療用エアマットレスは、下部ベッドスプレッドと、下部ベッドスプレッド上に取り付けられたマットレス体を備える。マットレス体は、一列に配設されてエアセル列を形成する互いに略平行な複数の身体エアセルを含む。マットレスはさらに頭部エアセルを含むことができ、ここで頭部エアセルはエアセル列の頭端部に配設される。マットレスはさらに、マットレス体を被覆しかつ下部ベッドスプレッドにしっかりと接続された上部ベッドスプレッドを備える。マットレスはさらに、ポンプ付きポンピング組立体と、ポンプをエアセルと接続する少なくとも１つの管路とを備える。
【０００２】
本発明はさらに、請求項３２の前段部分に係る、一般的医療用エアマットレスを膨張および／または収縮させるための方法、請求項３３の前段部分に係る、医療用エアマットレスの表面を傾斜させる方法、および請求項３６の前段部分に係る、医療用エアマットレスに容器を受容するための位置を生成する方法に関する。
【背景技術】
【０００３】
移動性または寝たきりの身体的問題を抱える患者はほとんどが、長期にわたってマットレスに横たわり、したがって、連続的圧力のため、身体の複数の領域に褥瘡性潰瘍を発症しやすい。褥瘡性潰瘍の発症を最小限に止めるか解消するために、介護者は患者の身体に寝返りを打たせて、身体の圧力の領域を交代させなければならない。従来の医療用エアマットレスは、患者の手動による移動を支援し、かつ患者の身体の接触領域を変えるために波動を生成するように患者に対する圧力領域を交互動作することを支援するために開発された。従来の医療用エアマットレスは以下の不備を有する。
【０００４】
患者の寝返りを支援するため、２つの傾斜提供セルが身体エアセルの下に取り付けられる。患者が寝返りを打つ必要があるときに、傾斜提供セルの１つが膨張して従来のエアマットレスを傾ける。この設計は１つの傾斜角度しか提供しない。様々な障害を持つ患者は異なる傾斜位置を必要とし、それは医師または患者の不快感によって決定される。患者が従来のエアマットレスによって提供されるのとは異なる角度を必要とする場合、介護者は非推奨装備品を使用することがあり、あるいは治療を提供することができない。これらの選択肢はいずれも、患者を傷害の危険にさらす。
【０００５】
従来のエアマットレスに横たわる患者は、移動性または寝たきりの問題を抱えているので、患者がマットレスから落ちるのを防止するために、従来のエアマットレスの周囲の防護装置が重要である。その上に医療用マットレスが使用される病院のベッドにはガードレールが装備され、それは時折、医療スタッフが病院のベッドに横たわる患者の介護を行うのを妨げることがあり得、かつ常に患者の保護のために最適な位置にあるとは限らない。多くの患者は、家庭における医療用エアマットレスの継続治療を要求する。医療用エアマットレスはまた、介護者が最小限の肉体労働で患者を移動させるのを支援するように要求される。多くの場合、家庭では、医療用エアマットレスを使用するベッドにガードレールが装備されていない。従来の医療用エアマットレスは、患者を保護しかつ介護者を支援するために、介護者が容易に押し下げることのできるエア充填ガードレールを持つことがあり得る。患者が偶発的にどちらかのエアガードレールを圧搾した場合、そのようなエアガードレールは外側に傾き、もはや患者を保護することができず、患者がマットレスから落下する機会をもたらす。そのようなエアガードレールは上部ベッドスプレッドに接続されておらず、下部ベッドスプレッドに接続されているだけであるので、上部ベッドスプレッドの両側から互いに引き合う力を持つ能力が制限される。
【０００６】
従来のエアマットレスの取扱いに関するさらなる問題は、マットレスに横たわる患者が便器を使用する必要があるときに発生する。従来のエアマットレスは、患者の臀部の位置に対応する幾つかの着脱自在なエアセルを有する。後でさらに詳しく述べる現状技術に係るマットレスを図１１Ａに提示する。着脱自在のエアセルを取り外して凹部を形成すると、便器を使用するために凹部に差し込むことが可能になる。しかし、二次感染を防止し、かつ簡単に清掃するために、従来のエアマットレスは、エアセルを被覆する上部ベッドスプレッドを有する。したがって、着脱自在のエアセルを取り外す前に、上部ベッドスプレッドを取り外す必要がある。上部ベッドスプレッドを取り外すには、従来のエアマットレスに横たわる患者を移動させることが依然として必要である。着脱自在のエアセルの設計は、患者が依然として従来のエアマットレスを離れる必要があるので、介護者にとって不便である。さらに、患者を移動させ、上部ベッドスプレッドを取り外すには、２人以上の個人が必要である。これは時間および人的資源の非効率的な使用であり、着脱自在のエアセルは、当初の設計で期待された通りには機能しない。
【発明の概要】
【発明が解決しようとする課題】
【０００７】
本発明の目的は、取扱いが改善され、患者の移動を支援する可能性および上述の不適切さを緩和または解消する可能性が改善された、医療用エアマットレスを提供することである。
【課題を解決するための手段】
【０００８】
この問題は、請求項１、５、６、１１、１２、および２０に係る医療用エアマットレスによって解決される。したがって、ポンプおよび／またはエアセルに接続された管路は、エアセルの膨張および／または収縮を選択的に制御するように適応される。これに関して、「選択的に」とは、選択されたエアセルまたは一群の選択されたエアセルが、残りのエアセルを膨張および／または収縮することなく、すなわち１つ以上の選択されなかったエアセルを膨張および／または収縮することなく、独立して膨張および／または収縮することができることを意味する。
【０００９】
本発明に係る問題はさらに、請求項３２に係る医療用エアマットレスを膨張および／または収縮させるための方法、請求項３３に係る医療用エアマットレスの表面を傾斜させる方法、および請求項３６に係る容器を受容するための位置を医療用エアマットレスに生成する方法によって解決される。本発明の好適な実施形態を従属請求項に提示する。
【００１０】
医療用エアマットレスの支持面に動きを生じるために、かつマットレスの表面を傾斜させるために、エアセル列の奇数位置のエアセルにポンプを接続する奇数身体管路、およびエアセル列の偶数位置のエアセルにポンプを接続する偶数身体管路を、医療用エアマットレスに設けることを提案する。
【００１１】
医療用エアマットレスの取扱いを改善するために、本発明に係る医療用エアマットレスの一部または全部の構成部品を非常に迅速に、例えば医療的緊急事態の場合、急速放出弁によって、収縮することを提案する。急速放出弁は管路に、好ましくは奇数身体管路および偶数身体管路に接続することができる。
【００１２】
本発明に係る医療用エアマットレスの複数の傾斜モードをもたらすために、追加の傾斜提供エアセルが設けられる。傾斜提供エアセルは、下部ベッドスプレッドの２つの長手方向側部付近に、かつ互いに略平行に、好ましくはマットレス体が傾斜提供エアセルを跨いで取り付けられるように、下部ベッドスプレッドに長手方向に取り付けられる。したがって、患者を動かすために、マットレスの表面の傾斜は、独立して、すなわちマットレスの他のエアセルを膨張および／または収縮させることなく、傾斜提供エアセルを膨張／収縮させることによって（追加的に）修正することができる。
【００１３】
本発明のさらなる態様では、各エアセルは直径が幅広端から幅狭端まで徐々に漸減する。エアセルは幅広端を幅狭端に隣接して配設される。これは一方では、医療用エアマットレスの褥瘡防止性能を改善するので、より簡単に取り扱うことができる。他方では、徐々に漸減する身体エアセルを選択的に膨張および／または収縮させることにより、マットレスの表面を傾斜させることができる。
【００１４】
本発明のさらなる態様では、ガードレールエアセルおよびガードレール管路を備えたガードレールを設ける。ガードレール管路はポンプをガードレールエアセルと接続する。医療用エアマットレスに膨張可能／収縮可能なガードレール組立体を設けることにより、患者の傷害を回避することができる。さらに、ガードレールの取扱いは、ガードレールエアセルを独立して収縮することによって除去することができるので、本発明に係る医療用エアマットレスによって簡素化される。ガードレールのそのガード位置への導入は、ガードレールエアセルを膨張させることによって行うことができる。
【００１５】
医療用エアマットレスの取扱いをさらに改善するために、ガードレールスリーブが押されたときに傾かないようにするために、互いに引き合うガードレールスリーブを設けることを提案する。医療用エアマットレスはさらに、ガードレールユニットを有することができる。マットレス体を被覆する上部ベッドスプレッドは、上部ベッドスプレッドの少なくとも片側に固定された少なくとも１つのガードレールスリーブを有する。ガードレールユニットは、ガードレールスリーブにそれぞれ取り付けられた複数のガードレールエアセルを有することができる。ガードレールスリーブは上部ベッドスプレッド上に形成され、上部ベッドスプレッドおよびガードレールスリーブは、ガードレールスリーブが押されたときに所定位置に確実に留まるように、両側に互いに引き合う。したがって、ガードレールスリーブは押されたときに落下せず、その意図された目的通りに患者の最適な保護を提供し続ける。
【００１６】
マットレスの褥瘡防止性能のさらなる改善は、好ましくは複数の微小振動体を有する、マットレス体に取り付けられたマッサージユニットを設けることによって達成される。代替的に、または追加的に、本発明に係る医療用エアマットレスは電熱シートの形のヒートユニットを装備することができる。
【００１７】
マットレスの取扱いをさらに簡素化するため、かつ特に、患者を著しく移動させることなく、便器またはいずれかの他の種類の容器を受容するための位置を生成するために、エアセル列の中央部に独立エアセルを配設することができる。独立エアセルはポンピング組立体に接続することができる。本発明のこの態様では、マットレス体は、エアセル列と平行に配設された独立エアセルを含む複数のエアセルによって形成される。独立エアセルは、独立して収縮させるために、独立収縮ユニットに接続することができる。患者が便器を使用する必要があるときに、独立エアセルは、便器を受容するための凹部を形成するように収縮されるので、ベッドスプレッドおよび患者を移動させる必要が無い。
【００１８】
本発明の他の目的、利点、および新規の特徴は、添付の図面と併せて検討したときに以下の詳細な説明からさらに明らかになるであろう。
【００１９】
本発明に従って使用される上述の構成部品は、請求の範囲および実施形態の実施例に記載するものと同様、大きさ、形状、材料の選択、および技術的概念に関していかなる特別な例外的条件にもさらされず、したがって本願の技術分野で公知の選択基準を無制限に適用することができる。
【００２０】
本発明のさらなる詳細、特徴、および利点は、従属請求項のみならず、実施例として本発明に係る幾つかの実施形態を示す関連図面の以下の説明からも得られる。
【図面の簡単な説明】
【００２１】
【図１Ａ】本発明に係る医療用エアマットレスの斜視図。
【図１Ｂ】上部ベッドスプレッドに接続された平坦な基部を含むガードレールスリーブ付き医療用エアマットレスの斜視図。
【図１Ｃ】マットレスの表面がマットレス体の片方の長手方向側部に傾斜した、医療用エアマットレスの斜視図。
【図２Ａ】図１に係る医療用エアマットレスの分解組立斜視図。
【図２Ｂ】図２Ａに係る医療用エアマットレスのマッサージユニットおよびヒータユニットの分解組立斜視図。
【図３Ａ】医療用エアマットレスの様々な実施形態の管路図。
【図３Ｂ】医療用エアマットレスの様々な実施形態の管路図。
【図３Ｃ】医療用エアマットレスの様々な実施形態の管路図。
【図３Ｄ】医療用エアマットレスの様々な実施形態の管路図。
【図４】全ての身体エアセルが膨張した状態を示す、図１の医療用エアマットレスの部分断面動作側面図。
【図５】奇数身体エアセルが膨張した状態を示す、医療用エアマットレスの部分断面動作側面図。
【図６】偶数身体エアセルが膨張した状態を示す、医療用エアマットレスの部分断面動作側面図。
【図７Ａ】直径が幅広端から幅狭端まで徐々に漸減する身体エアセルを示す、医療用エアマットレスの異なる実施形態の部分断面動作端面図。
【図７Ｂ】直径が幅広端から幅狭端まで徐々に漸減する身体エアセルを示す、医療用エアマットレスの異なる実施形態の部分断面動作端面図。
【図７Ｃ】２つの傾斜提供エアセルを持ち、そのうちの１つが膨張している状態の医療用エアマットレスの異なる実施形態の部分断面動作端面図。
【図８】医療用エアマットレスの別の実施形態の分解組立斜視図。
【図９Ａ】医療用エアマットレスの異なる実施形態の管路図。
【図９Ｂ】医療用エアマットレスの異なる実施形態の管路図。
【図１０Ａ】様々なエアセルの膨張状態を示す、医療用エアマットレスの部分断面動作端面図。
【図１０Ｂ】様々なエアセルの膨張状態を示す、医療用エアマットレスの部分断面動作端面図。
【図１０Ｃ】様々なエアセルの膨張状態を示す、医療用エアマットレスの部分断面動作端面図。
【図１０Ｄ】様々なエアセルの膨張状態を示す、医療用エアマットレスの部分断面動作端面図。
【図１０Ｅ】様々なエアセルの膨張状態を示す、医療用エアマットレスの部分断面動作端面図。
【図１０Ｆ】様々な傾斜角度（（ａ）〜（ｆ））を示す、エアマットレスの実施形態の６つの部分断面動作端面図。
【図１１Ａ】現状技術に係る、中央部分が着脱自在の医療用エアマットレスの斜視図。
【図１１Ｂ】マットレス体の中央部分の収縮した独立エアセルを示す、本発明に係る医療用エアマットレスの部分断面動作側面図。
【図１２Ａ】本発明に係る医療用エアマットレスの制御装置の斜視図。
【図１２Ｂ】本発明に係る医療用エアマットレスの制御装置の斜視図。
【発明を実施するための形態】
【００２２】
図１Ａに関連して、本発明に係る医療用エアマットレスの第１実施形態は、下部ベッドスプレッド１０、マットレス体３０、上部ベッドスプレッド５０、およびガードレールユニット（６０）を備え、上部ベッドスプレッド５０の各長手方向側部に２つのガードレールスリーブ５２が取り付けられる。図１Ｂおよび図１Ｃによると、各ガードレールスリーブ５２は、上部ベッドスプレッド５０に二列または二重に縫合固定された２つのスリーブ体５２１を含む。図１Ｂは医療用エアマットレスを斜視図で示し、図１Ｃは、医療用エアマットレスの支持面８０３に横たわる患者８０１の右側に傾斜した医療用エアマットレスの略図を示す。
【００２３】
図１Ｂおよび図１Ｃに係るガードレールの各スリーブ体５２１は、スリーブを上部ベッドスプレッド上にしっかりと保持するために、エアマットレス―――好ましくは交互動作エアマットレス―――のトップカバーに固定された平坦な基部８００を有する。特にベッドスプレッド５０に縫合することによるスリーブ５２またはスリーブ体５２１の取付けは、例えば患者８０１がガードレールユニット（６０）を機械的に押しあるいは変形させた場合にも、ガードレールエアセル６１および／または身体エアセル３１、３２の空気漏れを引き起こすことが回避されるように行われる。患者８０１の安全性およびマットレスの取扱いはそのようにして最適化される。
【００２４】
図２Ａによると、複数の身体エアセル３１および複数の頭部エアセル３２から成るマットレス体３０は、下部ベッドスプレッド１０に取り付けられる。好適な実施形態では、マットレス体３０は３つの頭部エアセル３２を含む。各身体エアセル３１および各頭部エアセル３２は管状であり、かつそれぞれ直径が均一である。頭部エアセル３２は身体エアセル３１と同一直径を有する。身体エアセル３１および頭部エアセル３２は互いに平行であり、一列に配設されてエアセル列を形成する。頭部エアセル３２はエアセル列の頭端部に配設される。すなわち、頭部エアセル３２はエアセル列の１番目ないし３番目に配設される。身体エアセル３１は、エアセル列の４番目ないし１７番目に配設される。
【００２５】
上部ベッドスプレッド５０はマットレス体３０を被覆し、下部ベッドスプレッド１０にしっかりと接続される。ヒートユニット５１は、加熱のために上部ベッドスプレッド５０の下でマットレス体３０の上に設置することが好ましい。ヒートユニット５１は炭素繊維電熱シートとすることができる。上部ベッドスプレッド５０はガードレールスリーブ５２を有する。ガードレールスリーブ５２は上部ベッドスプレッド５０の両方の長手方向の辺に平行に形成され、上部ベッドスプレッド５０の両方の（長手方向の）辺の縁に隣接してそれぞれ形成される。好適な実施形態では、ガードレールスリーブ５２は上部ベッドスプレッド５０に縫合される。各ガードレールスリーブ５２は少なくとも１つのスリーブ体５２１を有する。好適な実施形態では、各ガードレールスリーブ５２は、別々に形成されかつ互いに同軸に整列した２つのスリーブ体５２１を有する。
【００２６】
さらに図２Ａを参照すると、ガードレールエアユニット６０がガードレールスリーブ５２に取り付けられ、複数のガードレールエアセル６１を含む。ガードレールエアセル６１は、ガードレールスリーブ５２のスリーブ体５２１内にそれぞれ取り付けられる。
【００２７】
図２Ｂによると、医療用エアマットレスはさらに、マットレス体３０上または内に取り付けられたマッサージユニット４０を含む（図２Ａも参照）。図２Ｂに係るマッサージユニット４０は、記載の通り医療用エアマットレスの支持面８０３に横たわる患者８０１をそれぞれマッサージするために、複数の振動ユニット８０６または微小振動体４１を含む。これらの微小振動体８０６、４１は、マッサージを患者の頸、背中、腰、大腿などに別々にかつそれぞれ分散する。マッサージユニット４０はさらに第１層８０４および第２層８０５を含むことができる。各層８０４、８０５は防水性または略防水性の材料から作成することができる。第１層８０４および／または第２層８０５の下に、複数の振動ユニット８０６が配置される。各振動ユニット８０６は振動ユニット保持バッグ８０７内に配置することができる。好適な実施形態では、マッサージユニット内またはその上で、加熱素子５１を両方の層８０４、８０５の間に配置することができる。加熱素子５１は炭素材を含むことができる。代替的に、ヒートユニット５１はマットレス体３０上または内に別々に、すなわち例えばマッサージユニット４０無しに配置することができる。
【００２８】
図３Ａに関連して、記載する医療用エアマットレスはポンピング組立体７０を備える。ポンピング組立体７０は身体エアセル３１、頭部エアセル３２、および独立エアセル２３に接続され、それらを選択的に膨張させる。好適な実施形態では、図９Ａに関連して、独立エアセルは、各独立エアセルの直径が一端から他端に向けて徐々に漸減し、各身体エアセルおよび各独立エアセルが幅広端および幅狭端を有するように、円錐状に形成することができる。
【００２９】
好ましくは、ポンピング組立体７０は、図３Ａに示す通り、ポンプ７１、奇数身体管路７３、偶数身体管路７４、奇数独立管路５４、偶数独立管路５５、および急速放出弁７８を含む。奇数身体管路７３は、奇数身体エアセル３１およびエアセル列の奇数列の頭部エアセル３２にポンプ７１を接続する。偶数（奇数）列とはエアセル列の偶数（奇数）位置の列を意味する。偶数身体管路７４は、偶数身体エアセル３１およびエアセル列の偶数列の頭部エアセル３２にポンプ７１を接続する。奇数独立管路５４はエアセル列の奇数列の独立エアセル２３にポンプ７１を接続する。偶数独立管路５５はエアセル列の偶数列の独立エアセル２３にポンプ７１を接続する。急速放出弁７８は、緊急用にマットレス体３０の空気を急速に放出するために、奇数身体管路７３および偶数身体管路７４に接続される。例えば患者が心配蘇生術（Ｃ．Ｐ．Ｒ．）を必要とする場合に、患者を即時に救助するためにマットレス体３０が急速に収縮するので、記載した医療用エアマットレスを取り外す必要が無く、あるいは患者を移動させる必要が無い。これは、医療用エアマットレスの取扱いの改善に貢献する。
【００３０】
図３Ａによると、ポンプ７１は身体交互動作弁７０２に接続される。身体交互動作弁７０２は、ポンプ７１と身体管路７３、７４および独立管路５４、５５との間に接続される。独立エアセル２３は、独立して収縮される独立収縮ユニットに接続される。独立収縮ユニットは奇数電磁弁５４１および偶数電磁弁５５１を含む。奇数および偶数電磁弁５４１、５５１は三方弁であり、独立エアセル２３が奇数および偶数電磁弁５４１、５５１を介して独立して選択的に収縮されるように、外部への空気抜き開口をそれぞれ有する。奇数独立管路５４は奇数身体管路７３を介してポンプ７１に接続される。偶数独立管路５５は偶数身体管路７４を介してポンプ７１に接続される。好適な実施形態では、奇数独立管路５４は奇数独立電磁弁５４１を介して奇数身体管路７３に接続され、偶数独立管路５５は独立電磁弁５５１を介して偶数身体管路７４に接続される。奇数身体管路７３は第１逆止弁７３１を介して頭部エアセル３２に接続される。偶数身体管路７４は第２逆止弁７４１を介して頭部エアセル３２に接続される。
【００３１】
図３Ｂに関連して、独立エアセル２３のための独立収縮ユニットは、手動交互動作装置８０とすることができる。使用者は手動交互動作装置８０を制御して独立エアセル２３の膨張を停止させる。手動交互動作装置８０は空気入口、空気吹き込み開口、空気抜き出し開口、連結ロッド、２つの空気流ワッシャ、空気制限ワッシャ、および弾性要素を有する。空気入口は身体交互動作弁７０２に接続される。空気吹き込み開口は、独立管路５４、５５を介して独立エアセル２３に接続される。空気抜き出し開口は外部と連通する。膨張するときは、空気抜き出し開口を閉鎖し、空気吹き込み開口を開いて独立エアセル２３を膨張させる。収縮するときは、空気吹き込み開口を閉鎖し、かつ空気抜き出し開口を開くように、弾性要素、連結ロッド、および空気制限ワッシャを手動で移動させる。次いで独立エアセル２３は独立して収縮される。
【００３２】
こうして、本発明では、医療用エアマットレスの衛生面が改善されるので、エアマットレスの取扱いが向上する。例えば図１１Ａに係る現状技術に見られるようなマットレスの着脱自在部を使用するために、マットレスのトップカバーを取り外す必要がもはや無くなる。
【００３３】
図３Ｃに関連して、記載する医療用エアマットレスはポンピング組立体７０を備える。ポンピング組立体７０は傾斜提供エアセル２０、身体エアセル３１、頭部エアセル３２、およびガードレールエアセル６１に接続され、それらを選択的に膨張させる。好適な実施形態では、ポンピング組立体７０はポンプ７１、傾斜提供管路７２、奇数身体管路７３、偶数身体管路７４、ガードレール管路７７、および急速放出弁７８を含む。傾斜提供管路７２はポンプ７１を傾斜提供エアセル２０に接続する。奇数身体管路７３は、ポンプ７１をエアセル列の奇数位置の身体エアセル３１および頭部エアセル３２に接続する。偶数身体管路７４は、ポンプ７１をエアセル列の偶数位置の身体エアセル３１および頭部エアセル３２に接続する。ガードレール管路７７はポンプ７１をガードレールエアセル６１に接続する。急速放出弁７８は、緊急用にマットレス体３０の空気を急速に放出するために、奇数身体管路７３および偶数身体管路７４に接続される。例えば患者がＣ．Ｐ．Ｒ．を必要とする場合に、患者を即時に救助するためにマットレス体３０およびガードレール組立体が急速に収縮するので、記載した医療用エアマットレスおよびガードレール組立体を取り外す必要が無く、あるいは患者を移動させる必要が無い。
【００３４】
図３Ｃによると、ポンプ７１は傾斜提供交互動作弁７０１および身体交互動作弁７０２に接続される。傾斜提供電磁弁７０３も傾斜提供交互動作弁７０１とポンプ７１との間に接続される。傾斜提供交互動作弁７０１は傾斜提供電磁弁７０３と傾斜提供管路７２との間に接続される。身体交互動作弁７０２は、ポンプ７１と身体管路７３、７４およびガードレール管路７７との間に接続される。ガードレール管路７７はガードレール電磁弁７７２を介して身体交互動作弁７０２に接続される。奇数身体管路７３は逆止弁７３１を介して頭部エアセル３２に接続される。偶数身体管路７４は逆止弁７４１を介して頭部エアセル３２に接続される。身体交互動作弁７０２は逆止弁７７１を介してガードレール電磁弁７７２に接続される。
【００３５】
図３Ｄに関連して、ガードレールエアセル６１のための収縮ユニットは手動交互動作装置７７２Ａとすることができる。使用者は手動交互動作装置７７２Ａを制御してガードレールエアセル６１の膨張を停止させる。手動交互動作装置７７２Ａは空気入口、空気吹き込み開口、空気抜き出し開口、連結ロッド、１つ以上の空気流ワッシャ、空気制限ワッシャ、および弾性要素を有する。空気入口は身体交互動作弁７０２に接続される。空気吹き込み開口はガードレール管路７７を介してガードレールエアセル６１に接続される。空気抜き出し開口は外部に連通する。膨張するときは、空気抜き出し開口を閉鎖し、空気吹き込み開口を開いてガードレールエアセル６１を膨張させる。収縮するときは、空気吹き込み開口を閉鎖し、かつ空気抜き出し開口を開くように、弾性要素、連結ロッド、および空気制限ワッシャを手動で移動させる。次いでガードレールエアセル６１は独立して収縮される。
【００３６】
図３Ａおよび図３Ｂに記載した医療用エアマットレスが作動すると、ポンプ７１、交互動作弁７０２、および電磁弁５４１、５５１が起動してエアセルを膨張させ、かつ膨張を交互に調整する。膨張および収縮動作については以下で詳述する。
【００３７】
図３Ａおよび図３Ｂに係るマットレス体の場合、ポンプ７１が作動しているときに、使用者は様々なモードを選択することができる。
【００３８】
完全膨張モード：図３Ａおよび図３Ｂに関連して、ポンプ７１は、身体エアセル３１、頭部エアセル３２、および独立エアセル２３を膨張させるように作動する。
【００３９】
交互動作膨張モード：図３Ａおよび図３Ｂに関連して、ポンプ７１は作動して、エアセル列の奇数または偶数列の身体エアセル３１および独立エアセル２３を交互に膨張させる。好適な実施形態では、身体交互動作弁７０２が交互動作膨張を達成する。ポンプ７１は身体交互動作弁７０２内に空気を供給する。身体交互動作弁７０２は、奇数または偶数身体管路７３、７４に空気を交互に供給する。奇数身体管路７３が膨張すると、図５に示すように、エアセル列の奇数列の身体エアセル３１および独立エアセル２３は膨張し、エアセル列の偶数列の身体エアセル３１および独立エアセル２３は収縮する。偶数身体管路７４が膨張すると、図６に示すように、エアセル列の偶数位置の身体エアセル３１および独立エアセル２３は膨張し、エアセル列の奇数位置の身体エアセル３１および独立エアセル２３は収縮する。さらに、頭部エアセル３２と奇数および偶数身体管路７３、７４との間に逆止弁７３１、７４１が接続されるので、頭部エアセル３２は、身体交互動作弁７０２によって収縮されることなく、膨張した状態を維持して患者の頭部を安定的に支持する。
【００４０】
図３Ａおよび図３Ｂに示す独立エアセル２３の場合、使用者は、独立エアセル２３の膨張を独立して停止させることができる。好適な実施形態では、奇数電磁弁５４１および偶数電磁弁５５１は、独立エアセル２３の膨張を停止するために使用される。各電磁弁５４１、５５１は空気入口、空気吹き込み開口、および空気抜き出し開口を有する。空気入口は身体交互動作弁７０２に接続される。空気吹き込み開口は独立管路５４、５５を介して独立エアセル２３に接続される。空気抜き出し開口は外部に接続される。独立エアセル２３を膨張させるときに、空気抜き出し開口は閉鎖され、空気吹き込み開口は開く。独立エアセル２３を独立して収縮させるときに、空気吹き込み開口は閉鎖され、空気抜き出し開口は開く。独立エアセル２３が収縮したときに、独立エアセル２３に対応する上部ベッドスプレッド５０の中央部は支持されない。必要な場合、上部ベッドスプレッド５０の中央部を陥凹させて、便器を受容するための空間または場所を形成することができる。したがって、記載する医療用エアマットレスの支持面８０３に横たわる患者８０１は移動する必要が無く、かつ記載する医療用エアマットレスに横たわったままで便器を使用することができる。
【００４１】
図３Ｃおよび図３Ｄに記載した医療用エアマットレスが作動すると、ポンプ７１、交互動作弁、および電磁弁が起動してエアセルを膨張させ、かつ膨張を調整する。膨張および収縮動作については以下で詳述する。
【００４２】
ガードレールエアセル６１の場合、ポンプ７１が作動すると、ガードレールエアセル６１が膨張して、上部ベッドスプレッド５０に側部保護をもたらすように、ガードレールスリーブ５２を展開させる。ガードレールスリーブ５２は上部ベッドスプレッド５０の両側に形成されるので、上部ベッドスプレッド５０に横たわる患者８０１が偶発的にガードレールスリーブ５２を押圧したときに、両側のガードレールスリーブ５２は相互に引き合う。引く力は、ガードレールスリーブ５２の形状を、たとえ押圧されても維持し続ける。したがって、ガードレールスリーブ５２は、記載する医療用エアマットレスに横たわる患者を保護するように、所定の位置に維持される。さらに、逆止弁７７１は、身体交互動作弁７０２が動作するときに、空気が逆流することを防止する。
【００４３】
図３Ｃおよび図３Ｄに示す実施形態に係るマットレス体の場合、ポンプ７１が作動しているときに、使用者は様々なモードを選択することができる。
【００４４】
完全膨張モード：図３Ｃおよび図３Ｄに関連して、ポンプ７１は、身体エアセル３１および頭部エアセル３２を膨張させるように動作する。マットレス体の全てのエアセルが膨張している状態を図４に示す。
【００４５】
交互動作膨張モード：図３Ｃおよび図３Ｄに関連して、ポンプ７１は作動して、エアセル列の奇数または偶数列の身体エアセル３１を交互に膨張させる。好適な実施形態では、身体交互動作弁７０２が交互動作膨張を達成する。ポンプ７１は身体交互動作弁７０２内に空気を供給する。身体交互動作弁７０２は奇数または偶数身体管路７３、７４に空気を交互に供給する。奇数身体管路７３が膨張すると、図５に示すように、エアセル列の奇数位置の身体エアセル３１は膨張し、エアセル列の偶数位置の身体エアセル３１は収縮する。偶数身体管路７４が膨張すると、図６に示すように、エアセル列の偶数列の身体エアセル３１は膨張し、エアセル列の奇数列の身体エアセル３１は収縮する。さらに、頭部エアセル３２と奇数および偶数身体管路７３、７４との間に逆止弁７３１、７４１が接続されるので、頭部エアセル３２は、身体交互動作弁７０２によって収縮されることなく、膨張した状態を維持して患者の頭部を安定的に支持する。
【００４６】
図３Ｃおよび図７Ｃに示す傾斜提供エアセル２０の場合、ポンプ７１は作動して傾斜提供エアセル２０の１つを膨張させ、患者が容易に寝返りを打てるように、記載する医療用エアマットレスの片側を傾斜させる。好適な実施形態では、傾斜提供交互動作弁７０１は傾斜提供エアセル２０を交互に膨張させるように作動する。
【００４７】
図８、図９Ａ、および図９Ｂに関連して、本発明に係る医療用エアマットレスの第２実施形態を記載する。図８に係る身体マットレス３０Ａの身体エアセル３１Ａは円錐形である。円錐形のマットレス体を持つエアマットレスの端面図を図７Ａおよび図７Ｂに示す。各身体エアセル３１Ａは直径が、各身体エアセル３１Ａが幅広端および幅狭端を有するように、一端から他端に向けて徐々に漸減する。身体エアセル３１Ａは幅広端を幅狭端に隣接して配設される。例えば、エアセル列の奇数位置の身体エアセル３１Ａの幅広端は、エアセル列の偶数位置の身体エアセル３１Ａの幅狭端と整列する。記載する医療用エアマットレスはさらに、医療用エアマットレスの面積を拡大し、かつ上部ベッドスプレッド５０Ａを支持するために、長手方向に取り付けられかつマットレス体３０Ａの両側にそれぞれ取り付けられた２つのオフセットエアセル３４Ａを備える。オフセットエアセル３４Ａは頭部エアセル３２Ａにつながる管路に接続され、また膨張を維持するように逆止弁７３１、７４１によって保護される。
【００４８】
図８に記載した医療用エアマットレスが作動すると、ポンプ７１Ａ、交互動作弁、および電磁弁も起動して、エアセルを膨張させ、かつ膨張を交互に調整する。ほとんどの動作は上述したので、図８に係る医療用エアマットレスの実施形態については、異なる動作だけを以下に記載する。マットレス体３０Ａの場合、ポンプ７１Ａが作動しているときに、使用者は様々なモードを選択することができる。
【００４９】
完全膨張モード：ポンプ７１Ａは、全ての身体エアセル３１Ａおよび頭部エアセル３２Ａを膨張させるように作動する。
【００５０】
交互動作膨張モード：図９Ａ、図９Ｂ、および図１０Ａないし図１０Ｆに関連して、ポンプ７１Ａは作動し、エアセル列の奇数または偶数列の身体エアセル３１Ａを交互に膨張させる。エアセル列の奇数列の身体エアセル３１Ａが膨張するときに、図１０Ａに示すようにエアセル列の偶数列の身体エアセル３１Ａは収縮する。エアセル列の奇数位置の身体エアセル３１Ａは幅広の左端および幅狭の右端を有するので、マットレス体３０Ａは左側が高く、右側が低くなり、患者が右側に傾斜する。エアセル列の偶数列の身体エアセル３１Ａが膨張するときに、図１０Ｂに示すようにエアセル列の奇数列の身体エアセル３１Ａは収縮する。エアセル列の偶数位置の身体エアセル３１Ａは幅広の右端および幅狭の左端を有するので、マットレス体３０Ａは右側が高く、左側が低くなり、患者が左側に傾斜する。したがって、身体エアセル３１Ａの交互動作膨張は、マットレス体３０Ａの交互動作波動をもたらすだけでなく、患者をも特定の傾斜角度に傾斜させる。この実施形態では、身体エアセル３１Ａは例えば１０度または略１０度の傾斜角度をもたらす。これに関連して「略」とは、傾斜角度が所与の角度より数度小さくまたは大きくてもよいことを意味する。
【００５１】
図９Ａ、図９Ｂ、および図１０Ｃないし図１０Ｅに関連して、傾斜提供エアセル２０Ａに関連付けられる身体エアセル３１Ａの交互動作膨張は、さらに異なる傾斜角度を提供する。
【００５２】
図１２に示すように、身体エアセル３１Ａが全部膨張し、傾斜提供エアセル２０Ａの１つが膨張しているときに、上部ベッドスプレッド５０Ａの頂面は、例えば２０度または略２０度の傾斜角度をもたらすように片側に傾斜する。
【００５３】
エアセル列の偶数位置の身体エアセル３１Ａが膨張し、エアセル列の奇数位置の身体エアセル３１Ａが収縮しているときに、右側の傾斜提供エアセル２０Ａも同時に膨張すると、全部加算して例えば３０度または略３０度の傾斜角度がもたらされる。
【００５４】
エアセル列の奇数列の身体エアセル３１Ａが膨張し、エアセル列の偶数位置の身体エアセル３１Ａが収縮しているときに、左側の傾斜提供エアセル２０Ａも膨張すると、例えば３０度または略３０度の傾斜角度がもたらされる。
【００５５】
上述した医療用エアマットレスの傾斜状態の概要、および複数の角度による患者の傾斜または回転の可能性を図１０Ｆに示す。図１０Ｆの図形部分は、上述した医療用エアマットレスを膨張／収縮する方法に関連する。エアセルは選択的に膨張および／または収縮される。全ての偶数エアセルまたは全ての奇数エアセルが膨張または収縮するように、あるいは全ての偶数および奇数エアセルが膨張するように、偶数および／または奇数エアセルは別々に膨張および／または収縮される。傾斜提供エアセルならびに／または偶数身体セルならびに／または奇数身体セルならびに／または偶数および奇数身体セルを選択的に膨張および／または収縮させることにより、少なくとも３つの傾斜角度が達成される。
【００５６】
図１０Ｆの図形部分（ａ）および（ｂ）では、偶数または奇数身体エアセル３２のいずれかが膨張する。傾斜提供エアセル２０は両方とも収縮する。この状態で、表面は第１小角度に、例えば１０度または略１０度に傾斜する。
【００５７】
図１０Ｆの図形部分（ｃ）および（ｄ）では、マットレス体（３０、３０Ａ）の右側または左側いずれかの傾斜提供エアセル（２０、２０Ａ）が膨張する。偶数および奇数身体エアセル（３１、３１Ａ、３２、３２Ａ、２３、２３Ａ）も両方とも膨張するので、図形部分（ｃ）および（ｄ）に係る傾斜角度は図形部分（ａ）および（ｂ）の場合より大きく、例えば略２０度になる。
【００５８】
図１０Ｆの図形部分（ｅ）および（ｆ）では、偶数または奇数身体エアセル（３１、３１Ａ、３２、３２Ａ、２３、２３Ａ）が膨張し、傾斜提供エアセル（２０、２０Ａ）の１つも同時に膨張する。したがって、総傾斜角度はさらに大きく、例えば略３０度になる。
【００５９】
医療用エアマットレスの全ての状態は、図１２および図１２Ｂに示す制御装置によって制御することができる。制御装置は、例えば図３Ａないし図３Ｄ、図９Ａおよび図９Ｂに示す、ポンピング組立体および医療用エアマットレスの全ての弁に接続される。ほとんどの状態は、制御装置のワンタッチ操作により処理することができる。特に、便器のような容器を受容する空間のあるマットレスの中央部分を設けるためのガードレール、マットレスを傾斜させるときに係合されるセル、または独立エアセルの膨張／収縮は、片手で、または制御装置のワンタッチ操作で制御することができる。これらの機能および状態は全て、制御装置の１つのボタンを押すだけで操作することができる。
【００６０】
本発明に係る医療用エアマットレスは多くの利点を有する。上部ベッドスプレッド５０の上に形成されるガードレールスリーブ５２により、上部ベッドスプレッド５０の２つの対向する側部からガードレールスリーブ５２間で相互に引き合う力は、ガードレールスリーブ５２を、医療用エアマットレスに横たわる患者８０１を保護する所定の位置に維持させる。さらに、傾斜提供エアセル２０Ａに関連付けられる円錐形の身体エアセル３１Ａは、複数の傾斜角度をもたらす。したがって、様々な患者が、患者に必要なまたは医師に指示された適切な傾斜角度を選択することができる。
【００６１】
図２Ａ、図２Ｂ、および図８を参照すると、ヒートユニット５１がマットレス体に取り付けられる。それは、上部ベッドスプレッドを加熱するために上部ベッドスプレッド５０の下に配置することが好ましい。ヒートユニット５１は炭素繊維電熱シートとすることができる。ヒートユニット５１は、図２Ｂに示す加熱およびマッサージユニットの構成部品または一体的部品とすることができる。
【００６２】
独立エアセル２３を持つ医療用エアマットレスを図１１Ｂに示す。図１１Ｂでは、エアマットレスの側面図が示される。身体エアセル３１および頭部エアセル３２が膨張している。独立エアセル２３は収縮しているので、マットレス体３０の中央領域に、トイレットまたは便器のような容器を受容する位置が生成される。容器を受容するための位置は略円錐形を有することができる。独立エアセル２３の膨張または収縮は、図１２Ａ／Ｂに係る制御装置により制御することができる。便器を受容するための凹状位置を生成することによって、現状技術（図１１Ａ参照）に係るマットレス体の一部を例えば取り外す必要がもはや無くなる。
【００６３】
図１２Ａ／Ｂでは、医療用エアマットレスの制御装置は、１つのボタンに触れるだけでエアマットレスの幾つかの機能を制御することができるように構成される。ガードレールユニットの膨張／収縮は、ガードレール機能のためのワンタッチボタンにより制御することができる（図１２Ａの矢印を参照）。ワンタッチボタンとは、ボタンを１回触れることにより、マットレスの関連機能を可能または無効にすることを意味する。独立エアセル２３の膨張／収縮は、トイレット機能のワンタッチボタンにより制御することができる。マットレス表面の様々な角度の傾斜は、傾斜機能のためのワンタッチボタン（ピッチ、図１２Ｂの矢印を参照）により制御することができる。「ピッチ」ボタンに触れると、上述した方法に従ってマットレス表面の角度が増加または減少する。（身体および／または頭部）エアセルの膨張の交互動作は、静止／交互動作機能のためのワンタッチボタンにより制御することができる。マットレスの加熱は、加熱機能のためのワンタッチボタンにより制御することができる。マットレスのマッサージユニットは、マッサージ機能のワンタッチボタンにより制御することができる。図１２Ａ／Ｂに係る制御装置は、医療スタッフまたは患者自身が操作することができるように、マットレス体の近くに配置することができる。
【００６４】
本発明の構造および特徴の詳細と共に、本発明の多くの特徴および利点を上記の説明に記載したが、上記の開示は単なる例証にすぎない。細部について、特に部品の形状、大きさ、および配列に関して、本発明の原則内で、添付する請求項に表明される用語の広い一般的な意味によって示される最大限の範囲まで、変更を加えることができる。
【符号の説明】
【００６５】
１０    下部ベッドスプレッド
２０    傾斜提供エアセル
２３    独立エアセル
３０、３０Ａ    マットレス体
３１、３１Ａ    身体エアセル
３２、３２Ａ    頭部エアセル
３４Ａ    オフセットエアセル
４０    マッサージユニット
４１    微小振動体
５０、５０Ａ    上部ベッドスプレッド
５１    ヒートユニット
５２    ガードレールスリーブ
５４    奇数独立管路
５５    偶数独立管路
６０    ガードレールユニット
６１    ガードレールエアセル
７０    ポンピング組立体
７１、７１Ａ    ポンプ
７２    傾斜提供管路
７３    奇数身体管路
７４    偶数身体管路
７７    ガードレール管路
７８    急速放出弁
８０    手動交互動作装置
５２１    スリーブ体
５４１    奇数電磁弁
５５１    偶数電磁弁
７０１    傾斜提供交互動作弁
７０２    身体交互動作弁
７０３    傾斜提供電磁弁
７３１    第１逆止弁
７４１    第２逆止弁
７７１    第３逆止弁
７７２    ガードレール電磁弁
７７２Ａ    手動交互動作装置
８００    基部
８０１    患者
８０３    支持面
８０４    第１層
８０５    第２層
８０６    振動ユニット
８０７    保持バッグ
【図１Ａ】
0006050338.tif 000002
【図１Ｂ】
0006050338.tif 000003
【図１Ｃ】
0006050338.tif 000004
【図２Ａ】
0006050338.tif 000005
【図２Ｂ】
0006050338.tif 000006
【図３Ａ】
0006050338.tif 000007
【図３Ｂ】
0006050338.tif 000008
【図３Ｃ】
0006050338.tif 000009
【図３Ｄ】
0006050338.tif 000010
【図４】
0006050338.tif 000011
【図５】
0006050338.tif 000012
【図６】
0006050338.tif 000013
【図７Ａ】
0006050338.tif 000014
【図７Ｂ】
0006050338.tif 000015
【図７Ｃ】
0006050338.tif 000016
【図８】
0006050338.tif 000017
【図９Ａ】
0006050338.tif 000018
【図９Ｂ】
0006050338.tif 000019
【図１０Ａ】
0006050338.tif 000020
【図１０Ｂ】
0006050338.tif 000021
【図１０Ｃ】
0006050338.tif 000022
【図１０Ｄ】
0006050338.tif 000023
【図１０Ｅ】
0006050338.tif 000024
【図１０Ｆ】
0006050338.tif 000025
【図１１Ａ】
0006050338.tif 000026
【図１１Ｂ】
0006050338.tif 000027
【図１２Ａ】
0006050338.tif 000028
【図１２Ｂ】
0006050338.tif 000029